(57)【要約】【課題】  ネジ締め機の体積を減少させ、また、圧搾空気モーターへ高圧空気を送るときの円滑さを改善することができるネジ締め機における圧搾空気モーターの空気バルブ構造を提供する。【解決手段】  ネジ締め機の圧搾空気モーターの軸は、双方向の棒の収納溝とともに形成されている。棒の収納溝の一端は、圧搾空気モーターの空気取り入れ口に通じ、その他端は、バルブの開閉口と一緒に形成されており、そのバルブの開閉口は、圧搾空気モーターを駆動する空気を供給するための空気通路を形成するように、ネジ締め機の中の空気供給口に通じている。ネジ釘を打ち込むためのピストン棒はその棒の収納溝に設置されている。空気を止めるワッシャーが、ピストン棒の上に形成されている。【選択図】図２
0003101903.tif 000002
【実用新案登録請求の範囲】
【請求項１】
上部軸受けと下部軸受けとの間に圧搾空気モーターの軸が設けられ、その上部軸受けと下部軸受けには、それぞれ圧搾空気モーターの回転を駆動するための空気取り入れ口が設けられていて、上記圧搾空気モーターの軸は双方向の棒の収納溝とともに形成され、棒の収納溝の一端は、圧搾空気モーターの空気取り入れ口に通じ、その他端は、バルブの開閉口と一緒に形成されており、そのバルブの開閉口は、圧搾空気モーターを駆動する空気を供給するための空気通路を形成するように、ネジ締め機の中の空気供給口に通じていて、ネジ釘を打ち込むためのピストン棒がその棒の収納溝に設置され、さらに、空気を止めるワッシャーが、ピストン棒の上に形成されていて、ネジ釘の動きとともにバルブの開閉口の開閉を制御し、圧搾空気モーターの回転を制御するようにしたことを特徴とするネジ締め機における圧搾空気モーターの空気バルブ構造。
【請求項２】
上記圧搾空気モーターの空気取り入れ口は、上部軸受けの上端に環状ワッシャーを持ち、その環状ワッシャーには、その環状ワッシャーの内側の穴から外側に溝が延びており、上記棒の収納溝と圧搾空気モーターの空気取り入れ口とに通じていることを特徴とする請求項１記載のネジ締め機における圧搾空気モーターの空気バルブ構造。
【請求項３】
上記バルブの開閉口は、首のような形状を持ち、より小さな内径であることを特徴とする請求項１記載のネジ締め機における圧搾空気モーターの空気バルブ構造。
【考案の詳細な説明】
【技術分野】
【０００１】
この考案はネジ締め機に関し、特に、ネジ締め機における圧搾空気モーターの空気バルブ構造に関する。圧搾空気モーターにおいては、空気通路は、圧搾空気取り入れ口とネジ締め機への空気供給口との間に形成されている。ワーク片にネジ釘を打ち込むのに、ピストン棒もまた、ネジ釘を回すために使用される。
【背景技術】
【０００２】
圧搾空気式ネジ締め機は高圧空気で動作し、シリンダーの中のピストン棒を駆動して直線方向の駆動力を発生し、また、ネジ締め機の中の圧搾空気モーターを回す。このような駆動力がネジ釘を止める棒に伝えられて、ネジ釘をワーク片に打ち込む。
一般的に、従来技術によるネジ締め機はシリンダーを備えている。ピストンと圧搾空気モーターの適用は従来技術においても知られている。従来技術では、通常、圧搾空気モーターはシリンダーとピストン棒の上に設置されており、ピストン棒からは隔離されていた。さらに、曲がった空気通路が圧搾空気モーターの空気取り入れ口の端部の垂直な壁面に形成され、シリンダー壁面の低い端部にある空気バルブに通じていた。ピストン棒の直線的な往復運動により、モーターの空気通路の開閉が制御されて、ピストン棒がネジ釘を直線方向と回転方向に動かすように、ピストン棒が駆動される。
【０００３】
しかし、上記の従来技術では、モーターの軸は固体の軸で、回転力を伝える働きのみである。さらに、圧搾空気モーターの空気取り入れ口の端部の垂直な壁面に形成され、曲がった空気通路は大きな曲率を持っている。これはネジ締め機の体積を減少させるには適切でなく、また、圧搾空気モーターへ高圧空気を送るときの円滑さにも適当ではない。多くの従来技術では、これらの欠点が明白になっている。
【考案の開示】
【考案が解決しようとする課題】
【０００４】
この考案の主たる目的は、圧搾空気モーターの空気取り入れ口とネジ締め機への空気供給口との間に通じるモーター軸の中に空気通路があるような、ネジ締め機における圧搾空気モーターの空気バルブ構造を提供することである。
この考案のもう一つの目的は、圧搾空気モーターの空気通路の中に、圧搾空気モーターの空気バルブを組みこむための空間を小さくするように、ピストン棒の一端が、モーターの空気通路を開閉するバルブの棒として形成されるような、ネジ締め機における圧搾空気モーターの空気バルブ構造を提供することである。
この考案のさらなる目的は、空気取り入れ通路が圧搾空気モーターの空気取り入れ口に通じているような、ネジ締め機における圧搾空気モーターの空気バルブ構造を提供することである。
【課題を解決するための手段】
【０００５】
この考案は、圧搾空気モーターの軸は、双方向の棒の収納溝とともに形成されている。棒の収納溝の一端は、圧搾空気モーターの空気取り入れ口に通じ、その他端は、バルブの開閉口と一緒に形成されており、そのバルブの開閉口は、圧搾空気モーターを駆動する空気を供給するための空気通路を形成するように、ネジ締め機の中の空気供給口に通じている。ネジ釘を打ち込むためのピストン棒はその棒の収納溝に設置されている。空気を止めるワッシャーが、ピストン棒の上に形成されている。その目的は、ネジ釘の動きとともにバルブの開閉口の開閉を制御し、また、バルブの開閉口の開閉を制御するようにネジ釘が打ち込まれるようにするためである。このように、圧搾空気モーターの回転が制御されている。
請求項１に記載のネジ締め機における圧搾空気モーターの空気バルブ構造は、上部軸受けと下部軸受けとの間に圧搾空気モーターの軸が設けられ、その上部軸受けと下部軸受けには、それぞれ圧搾空気モーターの回転を駆動するための空気取り入れ口が設けられていて、上記圧搾空気モーターの軸は双方向の棒の収納溝とともに形成され、棒の収納溝の一端は、圧搾空気モーターの空気取り入れ口に通じ、その他端は、バルブの開閉口と一緒に形成されており、そのバルブの開閉口は、圧搾空気モーターを駆動する空気を供給するための空気通路を形成するように、ネジ締め機の中の空気供給口に通じていて、ネジ釘を打ち込むためのピストン棒がその棒の収納溝に設置され、さらに、空気を止めるワッシャーが、ピストン棒の上に形成されていて、ネジ釘の動きとともにバルブの開閉口の開閉を制御し、圧搾空気モーターの回転を制御するようにしたことを特徴とする。
また、請求項２に記載のネジ締め機における圧搾空気モーターの空気バルブ構造は、上記請求項１において、上記圧搾空気モーターの空気取り入れ口は、上部軸受けの上端に環状ワッシャーを持ち、その環状ワッシャーには、その環状ワッシャーの内側の穴から外側に溝が延びており、上記棒の収納溝と圧搾空気モーターの空気取り入れ口とに通じていることを特徴とする。
さらに、請求項３に記載のネジ締め機における圧搾空気モーターの空気バルブ構造は、上記請求項１において、上記バルブの開閉口は、首のような形状を持ち、より小さな内径であることを特徴とする。
【考案の効果】
【０００６】
本考案によるバルブ構造と空気通路により、空気通路は、より短くなり、ネジ締め機の構造上の中心線にある。それ故に、好ましい安定性が保たれる。また、主空気バルブを開く上部バルブが開かれた時に、高圧空気が圧搾空気モーターの空気通路に円滑に供給されるという効果がある。
【考案を実施するための最良の形態】
【０００７】
この考案をさらに深く理解してもらうために、以下詳細に説明する。しかし、この本文と図面は、この考案の目的、特徴、性質などを理解させるためのものであり、実用新案登録請求の範囲に記載された考案の範囲や精神を規定するものではない。
【０００８】
図１に、この考案による圧搾空気式ネジ締め機の斜視図を示す。ネジ締め機は、主として、ネジ締め機本体１を構成するヘッド11とハンドル12を含む。ネジ締め機本体１の低い端部に、ネジ釘を打ち込む位置にネジ釘を押しつけてネジ釘を回すためのネジ釘ドライバ13が設置されている。ネジ締め機本体の底部には引き金15が設置されている。ネジ締め機本体の中のネジ釘をワーク片にねじ込むには、引き金を引けばよい。
【０００９】
図２に、この考案による圧搾空気式ネジ締め機の内部と動作機構を示す。その構造は次のような要素からなっている。
圧搾空気モーター２には、そのモーターの中心軸上に軸20があり、上部軸受け21と下部軸受け22との間に圧搾空気モーター２を設置している。複数の放射状に配置された刃状の溝23が、複数の刃24を受けるように、圧搾空気モーター２の中に形成されている。それらの刃は、軸20を駆動するために、高圧空気によって偏心したハウジング25の中で作動する。
【００１０】
上部軸受け21と下部軸受け22には、空気取り入れ口29が形成され、それぞれ刃状の溝23に通じている。上部軸受け21には、ワッシャー55がついている。ワッシャー55には、中の空間57から延びた少なくとも１つの溝の部分56がある。その溝の部分56は、モーターの空気取り入れ通路を形成するように、空気取り入れ口29に通じている。
【００１１】
モーター軸20の中には、棒の収納溝26が形成されている。その棒の収納溝26の一端は、圧搾空気モーター２の空気取り入れ通路に通じ、その他端には、より小さな内径をもつ首のような形状のバルブ開口28が形成され、ネジ締め機本体にある（後述する）空気供給口に通じている。このようにして圧搾空気モーター２を駆動するための高圧空気を導く通路が形成される。
【００１２】
遊星ギヤのセット３にドライブギヤ31が繋がっている。ドライブギヤ31は軸20により駆動され、ドライブギヤ31の周りにある複数のドリブンギヤ33とインナーギヤ32を駆動する。
【００１３】
ドリブンギヤ33は、軸受けシート５の上のパワー出力板４を回転駆動させる。パワー出力板４の中心軸上には多角形の空間41が形成され、多角形のピストン棒６がパワー出力板４の中心軸にそって上記多角形の空間41を突き抜けるように設置されている。ブッシュ42が多角形の空間41にかみ合わされており、ピストン棒６がブッシュ42に取り囲まれている。複数のディスクの穴40をパワー出力板４の上に形成して、棒の収納溝26のバルブ開口28に通じるようにしてもよい。
【００１４】
複数のシートの穴50が軸受けシート５の上に形成されている。そのシートの穴50は、棒の収納溝26とバルブ開口28に通じている。軸受けシート５の下端はシリンダー７とともに形成されている。シリンダー７の外壁は絶縁リング70とともに形成されている。主空気バルブ８と主空気バルブ開閉口80が軸受けシート５とシリンダー７の間に搭載されている。主空気バルブ開閉口80には、上部バルブ開口82と下部バルブ開口83の２つがある。主空気バルブ８の下端をスプリング81で支えている。
【００１５】
ピストン棒６の多角形の壁はパワー出力板４にかみ合わされて駆動され、回転する。また、ピストン棒６は、モーター軸20の棒の収納溝26の中に隠れるようにしたバルブ開口28を突き抜けている。このように、棒の収納溝26はモーターの空気通路に流れる空気の中心的な通路としての働きのほかに、ピストン棒６を受けいれる働きをしている。
【００１６】
ピストン棒６の下部には、ピストンバルブ60があり、シリンダー７のなかで動くことが出来るように設置されている。ピストン棒６の下部は、ネジ釘を止める棒61に締結されている。さらに、ピストン棒６の上部には、環状の溝62がある。環状の溝62の中には、空気停止ワッシャー63があり、モーターの空気通路の中で、首のような形状のバルブ開口28の開閉を制御するためのバルブ棒として形成されている。
【００１７】
さらに、この考案では、棒の収納溝26のバルブ開口28に通じる空気供給通路が、パワー出力板４の上のディスクの穴40、軸受けシート５のシートの穴50、主空気バルブ開閉口80の上部バルブ開口82などによって形成されている。
【００１８】
引き金15が引かれていないとき（図３を参照）には、主空気バルブ開閉口80の上部バルブ開口は閉じている。上部の空気溜91のなかの高圧空気90は、上部バルブ開口82に流入できない。したがって、圧搾空気モーター２は回転できない。このとき、主空気バルブ開閉口80の下部バルブ開口83は開いている。ピストンバルブ60の上部の空気は排出され、ピストン棒６は上に戻り、棒の収納溝26のなかに隠される。
【００１９】
引き金15が引かれたとき（図４を参照）には、引き金バルブ16が開き、引き金の空気通路17から外部へ通じる空気排出通路が開かれる。そこで、中間層の空気通路92にある高圧空気90が排出される。それから、高圧空気は、主空気バルブ８の上部の空気溜91に連続的に供給される。結果として、導入された空気圧が中間層の空気通路92のスプリング81からの圧力より大きくなり、上部バルブ開口82を開いて、下部バルブ開口83を閉じる。高圧空気90が上部バルブ開口82からシリンダー７に入り、ピストンバルブ60を押す。これにより、ピストン棒６が直線的に動いて、ネジ釘を止める棒61を急速に下降させるように動作する。（図５を参照）さらに、高圧空気90は、バルブ開口28を通じてディスクの穴40とシートの穴50に入り、そのモーターの空気通路である棒の収納溝26に入る。それから、モーターの空気通路で、中の空間57、溝の部分56、空気取り入れ口29などへの空気の流れが、圧搾空気モーター２の軸20を駆動して回転力を発生し、遊星ギヤのセット３を駆動して、パワー出力板４を回転させる。このようにして、下降するピストン棒６が回転駆動され、ネジ釘を止める棒61が回転してネジ釘を回転させる。
【００２０】
ピストン棒６が最低部まで下降すると、（図６を参照）円筒状の本体とピストンバルブ60の上部にある高圧空気90は、シリンダー７の底部近辺の導入孔71を通じて、空気溜95に戻される。このとき、ネジ釘は埋め込まれており、ピストン棒６の上にある空気停止ワッシャー63が降下して、バルブ開口28を閉じて、空気を供給する通路とモーターの空気取り入れ口とを遮断し、圧搾空気モーター２は停止する。
【００２１】
次に、引き金15が緩められると、引き金バルブ16も緩められ（図７を参照）、引き金の空気通路17から外部へ通じる空気排出通路が閉じられる。ハンドル12の中の高圧空気90は、引き金の空気通路17を通って中間層の空気通路92に入って圧力をかける。スプリング81の弾性力で、主空気バルブ８の主空気バルブ開閉口80が戻り、上部バルブ開口82が閉じて、空気がバルブ開口28と空気停止ワッシャー63に流れ込まないように遮断する。さらに、下部バルブ開口83が開かれて、シリンダー７に空気を排出する。このようにして、空気溜95に貯まった高圧空気90は、導出孔72からピストンバルブ60の底部でシリンダー７に導かれて、ピストン棒６を押し上げ、ピストン棒６は、棒の収納溝26のなかに隠される。（図３を参照）
【００２２】
ここに記載した考案は好ましい具体例を示しているが、それに記載された内容に限定されるものではない。ここに記述されていない各種の置き換えや変形などは、当業者の通常の知識で推測でき、それらは、この考案の請求の範囲に含まれる。
【図面の簡単な説明】
【００２３】
【図１】本考案によるネジ締め機の斜視図である。
【図２】本考案によるネジ締め機のヘッド部の概略図である。
【図３】本考案による引き金を押す前の状態を示す断面図である。
【図４】本考案による引き金を押したときの初期状態を示す断面図である。
【図５】引き金を押してピストン棒が手前に動く前の状態を示す断面図である。
【図６】引き金を押してピストン棒が手前に動いて最終の位置に達する前の状態を示す断面図である。
【図７】引き金が放されてピストン棒がもとに戻る状態を示す断面図である。
【符号の説明】
【００２４】
１  ネジ締め機本体
２  圧搾空気モーター
軸  
上部軸受け
22  下部軸受け
26  棒の収納溝
28  バルブ開口
29  空気取り入れ口
55  ワッシャー
63  空気停止ワッシャー
主空気バルブ開閉口
【図１】
0003101903.tif 000003
【図２】
0003101903.tif 000004
【図３】
0003101903.tif 000005
【図４】
0003101903.tif 000006
【図５】
0003101903.tif 000007
【図６】
0003101903.tif 000008
【図７】
0003101903.tif 000009